(57)【要約】【課題】モーターやゼンマイ等の駆動装置を必要としない簡単な構造で、外部から受ける空気の移動のみで薬剤を揮散させ、しかも長期間にわたり優れた害虫防除効果を奏する薬剤揮散具の提供。【課題の解決手段】通気性担体に常温揮散性防虫成分を３０〜５００ｍｇ担持させて薬剤担持体を構成し、外部から受ける空気の移動によって前記防虫成分を揮散させる薬剤揮散具において、平板と波板を貼り合わせた段ボール片を、波板の貫通穴の向きが１段毎もしくは数段毎に縦横交互するように積層して通気性担体を形成した薬剤揮散具。【選択図】図２
2005160412.tif 000002
【特許請求の範囲】
【請求項１】
通気性担体に常温揮散性防虫成分を３０〜５００ｍｇ担持させて薬剤担持体を構成し、外部から受ける空気の移動によって前記防虫成分を揮散させる薬剤揮散具において、平板と波板を貼り合わせた段ボール片を、波板の貫通穴の向きが１段毎もしくは数段毎に縦横交互するように積層して通気性担体を形成したことを特徴とする薬剤揮散具。
【請求項２】
波板の高さが３〜１０ｍｍ、波板のピッチが３〜１０ｍｍ、波板の貫通穴の奥行きが２〜７ｃｍであり、かつ波板の貫通穴の向きが１段毎もしくは数段毎に縦横交互するように２０〜４０段積層して通気性担体を形成したことを特徴とする請求項１に記載の薬剤揮散具。
【請求項３】
通気性担体を複数個のブロックに分け、それぞれを紐で連結するようにして構成したことを特徴とする請求項１又は２に記載の薬剤揮散具。
【請求項４】
常温揮散性防虫成分が、テフラメトリン及び一般式（Ｉ）
【化１】
2005160412.tif 000006
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上であることを特徴とする請求項１ないし３のいずれかに記載の薬剤揮散具。
【発明の詳細な説明】
【技術分野】
【０００１】
本発明は、モーターやゼンマイ等を使用せず、外部から受ける空気の移動によって薬剤を揮散させる薬剤揮散具に関するものである。
【背景技術】
【０００２】
害虫、例えば蚊や蚋などを駆除するために、薬剤を閉鎖空間（建築物や自動車の室内、アウトドアスポーツにおけるテント内など）全体に揮散、放出させる薬剤揮散方法として、熱エネルギーを利用した蚊取線香や電気蚊取マット、液体式電気蚊取（リキッド）が一般的である。一方、電源として乾電池を用い、薬剤含浸体にファン等の風をあてて常温で薬剤を揮散、放出させるファン式薬剤揮散装置も携帯用として実用化され、これに関する特許出願も多い。例えば、特開平７−１１１８５０号公報は、薬剤含浸体として積層段ボールを用いたファン式殺虫・防虫方法を開示するものであるが、当然のことながらファンを回転させるモーターとその駆動用電源を必要とし、積層段ボールの仕様はファンによる一定の風向きを前提としている。
【０００３】
ところで、ファンを具備せず、空中に浮遊もしくは吊り下げて薬剤を揮散させようとする提案もある。例えば、特開平１１−２５５６０４号公報に揮散性薬剤を風船基材に保持させてなる防虫材が記載されているが、自然に浮遊させるのみなので薬剤の放散力が十分と言えない。また、特開２０００−２４７８０６号公報には、揮散性薬剤を保持した担体を有する通気性構造体を吊り下げ、好ましくはこの通気性構造体に空中推進手段を備えた薬剤拡散装置が開示されている。しかしながら、この装置は、実質的にモーターやゼンマイ等の駆動装置を具備し、また、担体の材質や使用する殺虫成分等との関係について何の検討もされていないことから、長期間にわたり満足のいく揮散性能や害虫防除効果を示し得なかった。
【特許文献１】特開平７−１１１８５０号公報
【特許文献２】特開平１１−２５５６０４号公報
【特許文献３】特開２０００−２４７８０６号公報
【発明の開示】
【発明が解決しようとする課題】
【０００４】
本発明は、モーターやゼンマイ等の駆動装置を必要としない簡単な構造で、外部から受ける空気の移動のみで薬剤を揮散させ、しかも長期間にわたり優れた害虫防除効果を奏する段ボール積層型の薬剤揮散具を提供することを目的とする。
【課題を解決するための手段】
【０００５】
本発明は、上記課題を解決するため、次のような構成を採用する。
（１）通気性担体に常温揮散性防虫成分を３０〜５００ｍｇ担持させて薬剤担持体を構成し、外部から受ける空気の移動によって前記防虫成分を揮散させる薬剤揮散具において、平板と波板を貼り合わせた段ボール片を、波板の貫通穴の向きが１段毎もしくは数段毎に縦横交互するように積層して通気性担体を形成した薬剤揮散具。
（２）波板の高さが３〜１０ｍｍ、波板のピッチが３〜１０ｍｍ、波板の貫通穴の奥行きが２〜７ｃｍであり、かつ波板の貫通穴の向きが１段毎もしくは数段毎に縦横交互するように２０〜４０段積層して通気性担体を形成した（１）に記載の薬剤揮散具。
（３）通気性担体を複数個のブロックに分け、それぞれを紐で連結するようにして構成した（１）又は（２）に記載の薬剤揮散具。
（４）常温揮散性防虫成分が、テフラメトリン及び一般式（Ｉ）
【化１】
2005160412.tif 000003
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上である（１）ないし（３）のいずれかに記載の薬剤揮散具。
【発明の効果】
【０００６】
本発明の薬剤揮散具は、モーターやゼンマイ等の駆動装置を必要としない簡単な構造であり、その使用に当たっては、エアーコンディショナーや扇風機の風の当たる場所や、外気が入り込む窓などに設置すればよい。そして、この薬剤揮散具によれば、屋内はもちろん屋外のペット小屋などで、蚊や蚋、ハエ、ユスリカなどの各種害虫に対し、簡便でしかも長期間にわたり優れた害虫防除効果を示すのでその実用性は極めて高い。
【発明を実施するための最良の形態】
【０００７】
本発明で用いられる常温揮散性防虫成分としては、テフラメトリン及び一般式（Ｉ）
【化２】
2005160412.tif 000004
（式中、Ｘは水素原子又はメチル基を表す。Ｘが水素原子の時、Ｙはビニル基、１−プロペニル基、２−メチル−１−プロペニル基、２，２−ジクロロビニル基、２，２−ジフルオロビニル基又は２−クロロ−２−トリフルオロメチルビニル基を表し、Ｘがメチル基の時、Ｙはメチル基を表す。また、Ｚは水素原子、フッ素原子、メチル基、メトキシメチル基又はプロパルギル基を表す）で表されるフッ素置換ベンジルアルコールエステル化合物から選ばれた１種又は２種以上が好適に用いられる。なお、化合物の酸成分において、不斉炭素や二重結合に基づく光学異性体や幾何異性体が存在する場合、それらの各々や任意の混合物も本発明に包含されることは勿論である。
【０００８】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、４−プロパルギル−２，３，５，６−テトラフルオロベンジル−２，２−ジメチル−３−（１−プロペニル）シクロプロパンカルボキシレート（以後、化合物Ｊと称す）、４−メチル−２，３，５，６−テトラフルオロベンジル−２，２−ジメチル−３−ビニルシクロプロパンカルボキシレート（以後、化合物Ｋと称す）、２，３，５，６−テトラフルオロベンジル−２，２，３，３−テトラメチルシクロプロパンカルボキシレート（以後、化合物Ｌと称す）、４−メトキシメチル−２，３，５，６−テトラフルオロベンジル−２，２，３，３−テトラメチルシクロプロパンカルボキシレート（以後、化合物Ｍと称す）、４−メチル−２，３，５，６−テトラフルオロベンジル−２，２，３，３−テトラメチルシクロプロパンカルボキシレート（以後、化合物Ｎと称す）、又は４−プロパルギル−２，３，５，６−テトラフルオロベンジル−２，２，３，３−テトラメチルシクロプロパンカルボキシレート（以後、化合物Ｐと称す）をあげることができる。
なかでも、Ｘが水素原子でＹが１−プロペニル基、又はＸ及びＹが共にメチル基であるフッ素置換ベンジルアルコールエステル化合物が揮散性や生物活性の点からより好ましく、上記化合物Ｂ、化合物Ｅ、化合物Ｈ、化合物Ｊ、化合物Ｌ、化合物Ｍ、化合物Ｎ及び化合物Ｐが該当する。
【０００９】
常温揮散性防虫成分の担持量は、通気性担体の材質、使用場所、使用期間などを考慮し３０〜５００ｍｇの範囲で適宜決定される。防虫成分の担持量が３０ｍｇより少ないと、害虫防除効力の持続性に不足を生じる場合があり、一方５００ｍｇを超えても使用期間が必要以上に延長されるだけで格別のメリットはない。
常温揮散性防虫成分を通気性担体に担持させるに際しては、必要に応じ溶剤、希釈剤、界面活性剤、分散剤、徐放化剤などを用い、従来から知られている各種処理手段を採用することができる。もちろん、あらかじめ防虫成分を担持させた段ボール片を積層して薬剤担持体を形成するようにしてもよい。また、前記防虫成分に、安定剤、香料、着色剤、帯電防止剤などを適宜配合してもよく、更に、防虫成分の揮散性能に支障をきたさない限りにおいて、揮散性の高い他の殺虫、忌避成分（例えば、ディート、ヒノキチオール、カルボン、サフロール、シトロネラール、ケイ皮アルデヒドなどの防虫香料など）、殺ダニ剤、殺菌剤、消臭剤などを添加して多目的組成物とすることもできる。
なお、常温揮散性防虫成分量と連動する着色剤を通気性担体に担持させ、防虫成分の揮散終了を示すインジケーターとして利用することも可能である。
【００１０】
本発明の薬剤揮散具は、モーターやゼンマイ等の駆動装置を具備しない簡単な構造で、しかも外部から受ける空気の移動のみで薬剤を揮散させるべく、通気性担体の構造を段ボール片積層型とし、かつ段ボールの波板の貫通穴の向きを１段毎もしくは数段毎に縦横交互させたことに特徴を有する。
すなわち、通常自然蒸散においては薬剤の放散力は不足するが、貫通穴の向きを縦横交互に設定することによって、薬剤担持体の周囲に空気の撹乱を生じ薬剤の拡散に寄与することが認められた。また、自然環境下では風向きは絶えず変化するものの、本発明の構成によれば、この風向きの変化にも関わらず薬剤担持体から薬剤が安定して揮散し、特定の常温揮散性防虫成分の防虫活性と相まって、十分な害虫防除効果を奏しえる。
【００１１】
本発明において、段ボール片は平板と波板を貼り合わせたものを構成単位とし、上述のとおり、これを積層して通気性担体を形成する。
好ましい形態は、波板の高さが３〜１０ｍｍ、波板のピッチが３〜１０ｍｍ、波板の貫通穴の奥行きが２〜７ｃｍの段ボールを用い、かつ波板の貫通穴の向きが１段毎もしくは数段毎に縦横交互するように２０〜４０段積層して通気性担体を形成したものである。
通常、薬剤の揮散量を高めるために、通気性担体の総表面積を大きくする手段を採用するが、本発明の薬剤揮散具は揮散効率にすぐれるため、平板と延伸した波板の表面積の合計を、２００ｃｍ2〜２０００ｃｍ2程度に設計すれば十分である。また、通気性担体を複数個のブロックに分け、それぞれを紐で連結するようにして構成したものであっても構わない。
【００１２】
段ボール片の材質は特に限定されないが、紙製のものが一般的である。各種プラスチック樹脂を混入して強度を高めたり、薬剤の揮散性を調節することもでき、このようなプラスチック樹脂として、ポリエチレンやポリプロピレンなどのポリオレフィン、ポリウレタン、ポリエステル、ポリカーボネ―ト、ポリスチレン、ポリ酢酸ビニール、エチレン酢酸ビニルコポリマーなどをあげることができる。
いずれの場合においても、常温揮散性防虫成分の揮散終了後、新しい薬剤担持体と交換し使用を継続すればよい。
【００１３】
こうして得られた本発明の薬剤揮散具は、モーターやゼンマイ等の駆動装置を必要としない簡単な構造で、外部から受ける空気の移動、例えばエアーコンディショナー、扇風機のエアーや、窓を通して入り込む風を利用して、段ボール片積層型の薬剤担持体から防虫成分を揮散させる。なお、薬剤担持体に人の指などが触れないように、薬剤担持体を通気性のカートリッジに収納するようにしてもよい。
薬剤担持体からの防虫成分揮散量は、使用場所や風力等にもよるが、１時間当たり０．０１〜０．５ｍｇ程度であり、例えば通常の６畳の居住部屋で十分な害虫防除効果を奏する。ここで、害虫防除効果とは致死に至る殺虫作用を必然とせず、蚊に対する刺咬阻止、忌避作用を含めた広義の防虫効果を意味する。
かかる本発明の成果は、本発明で用いる常温揮散性防虫成分が従来のエムペントリンに比べて蒸気圧が幾分低いものの極めて高い基礎殺虫活性を有することを踏まえ、段ボール片積層型の材質や構造等との組み合わせを種々検討して初めて得られたものである。
そして、本発明の薬剤揮散具によれば、屋内はもちろん屋外のペット小屋などで、蚊や蚋、ハエ、ユスリカなどの各種害虫に対し、簡便でしかも長期間にわたり優れた害虫防除効果を示すので極めて実用性が高い。
【００１４】
次に、具体的実施例ならびに試験例に基づいて、本発明の薬剤揮散具を更に詳細に説明する。
【実施例１】
【００１５】
図１は本発明の薬剤揮散具（１）の一実施例の斜視図を示す。
３×３ｃｍの方形で厚さが０．２ｍｍの平板（２）２枚の間に、３×４．５ｃｍの大きさの平板から作製した波板（３）（高さ：７ｍｍ、ピッチ：７ｍｍ、厚さ：０．２ｍｍ）を挟んで段ボール片の構成単位とし、これを段ボール片の貫通穴の向きが縦横一段ずつ交互になるように３０段重ねて通気性担体（４）（総表面積：６７０ｃｍ2）を作製した。この通気性担体（４）に、常温揮散性防虫成分・化合物Ｅ［４−メチル−２，３，５，６−テトラフルオロベンジル−２，２−ジメチル−３−（１−プロペニル）シクロプロパンカルボキシレート］１００ｍｇを担持させてなる本発明の薬剤揮散具（１）を得た。
薬剤揮散具（１）を寝室（６畳間）のエアーコンディショナーの吹き出し口前方に設置し、就寝の間８時間にわたり微風でエアーコンディショナーを作動させたところ、１時間当たりの薬剤揮散量は約０．１０ｍｇで蚊に刺されることはなかった。また、本薬剤揮散具（１）はおよそ２ケ月間にわたり使用でき、使いやすく極めて実用的であった。なお、本薬剤揮散具（１）を扇風機の前で使用した場合も、同様に有効であった。
【実施例２】
【００１６】
図２は本発明の薬剤揮散具（１）の他の実施例の斜視図を示す。
実施例１の段ボール片を貫通穴の向きが同方向になるように５段積層して１ブロックとし、常温揮散性防虫成分・化合物Ｌ［２，３，５，６−テトラフルオロベンジル−２，２，３，３−テトラメチルシクロプロパンカルボキシレート］をブロックあたり５０ｍｇ担持させた。４個のブロックを紐（５）で連結して総計２０段の通気性担体（４）からなる薬剤担持体を形成するとともに、ブロック毎の貫通穴の向きを縦横交互になして、本発明の薬剤揮散具（１）を得た。
薬剤揮散具（１）を風通しのよい窓際に吊るして使用したところ、薬剤揮散具（１）は風を受けて回転運動が加わり１時間当たりの薬剤揮散量は平均で約０．１３ｍｇであった。本薬剤揮散具（１）は、電池や駆動装置を必要とせず簡便で使いやすく、およそ２ケ月間にわたり十分な害虫防除効果を示した。
【実施例３】
【００１７】
実施例１及び実施例２に準じて各種薬剤揮散具（実施例１に準じた型をＡ、実施例２に準じた型をＢ）を作製し、同様にエアーコンディショナーを備えた部屋で使用した。使用開始時と１ケ月後に、下記の殺虫効力試験を行い、評価結果を併せて表１に示した。
［殺虫効力試験］：１５ｍ3の部屋で風速０．５ｍ／秒の条件を設定し、アカイエカ成虫に対する殺虫効果を調べた。結果は、市販蚊取製剤と比較して、○、△、×で評価した。
【００１８】
【表１】
2005160412.tif 000005
【００１９】
貫通穴の向きを交互に形成した本発明の薬剤揮散具は、平板からの自然蒸散方式(比較例４)や貫通穴の向きが同方向の段ボール片積層型（比較例３）に比べ、長期にわたり優れた害虫防除効果を示し極めて効率的な揮散性能を奏することが認められた。
これに対し、比較例１のように常温揮散性を有さないプラレトリンを用いた場合は本発明の薬剤揮散システムに合致せず、また、比較例２の如く、薬剤担持量が３０ｍｇより少ない場合は防除効果が長期間持続しなかった。
【図面の簡単な説明】
【００２０】
【図１】本発明の薬剤揮散具の一実施例の斜視図を示す。
【図２】本発明の薬剤揮散具の他の実施例の斜視図を示す。
【符号の説明】
【００２１】
１：薬剤揮散具、
２：平板、
３：波板、
４：通気性担体、
５：紐
【図１】
2005160412.tif 000007
【図２】
2005160412.tif 000008